(57)【特許請求の範囲】
【請求項１】
取付板と支持板とを有する基枠体の内側に連結杆が摺動可能に配設され、支持板の上部と下部に鉤部材が傾動可能に枢支され、連結杆の上端と下端が上下の鉤部材に連結され、取付板の一部にシリンダ錠用の開口孔が穿設され、シリンダ錠が該開口孔からその錠軸を基枠体の内側に挿入して該取付板に交換可能に取り付けられ、該錠軸の先端にカム板が連結杆に係合可能に取り付けられたゲーム機の施錠装置において、
該開口孔の近傍における該連結杆の該開口孔側に、リベット状の頭付係合ピンが、前記カム板の回動時、該カム板とは接触しない位置に、該頭付係合ピンの先端を該連結杆の側面に穿設した孔にかしめ固定して取り付けられ、該シリンダ錠を外した状態で、該開口孔を通して基枠体の内側に差し込まれた工具を該頭付係合ピンに係合させて、該連結杆を解錠方向に摺動可能としたことを特徴とするゲーム機の施錠装置。
【発明の詳細な説明】
【技術分野】
【０００１】
本発明は、スロットマシン、パチンコ機等のゲーム機の前面枠（前扉）を、本体枠（筐体）に対し施錠するゲーム機の施錠装置に関し、特に基枠体の上部と下部に鉤部材を傾動可能に枢支し、上下の鉤部材を連結する連結杆を基枠体に摺動可能に配設し、シリンダ錠の錠軸に固定したカム板の回動により連結杆を摺動させ、鉤部材を傾動させて解錠する施錠装置に関する。
【背景技術】
【０００２】
従来、この種のゲーム機の施錠装置として、基枠体の内側に連結杆が摺動可能に配設され、基枠体の支持板の上部と下部に鉤部材が、連結杆に連結されて傾動可能に枢支され、基枠体の取付板の中間部に、シリンダ錠がその錠軸を取付板に設けた孔から内側に差し込むように固定され、錠軸の先端に連結杆と係合するカム板が取り付けられた構成の施錠装置が、下記特許文献１などで知られている。
【０００３】
この種の施錠装置では、連結杆と基枠体または他の部材との間に、連結杆つまり鉤部材を施錠方向に付勢するばね部材が装着され、鉤部材はフリーの状態で、そのばね部材のばね力により施錠側に付勢され、施錠姿勢を保持している。一方、本体枠側には、鉤部材が係止される受け金具が取り付けられ、前面枠を閉じた際、鉤部材の傾斜面が受け金具に当たり、その閉鎖力によって鉤部材がばね部材のばね力に抗して一旦解錠側に傾動し、鉤部材の凹部が受け金具の係止部に係合したとき、ばね力により鉤部材が施錠姿勢に戻り、施錠状態となる。
【特許文献１】実開昭６０−２５８５号公報
【発明の開示】
【発明が解決しようとする課題】
【０００４】
ところで、この種の施錠装置は、ゲーム機に取り付けられて使用を開始した後、その基枠体からシリンダ錠とカム板を取り外し、それらの部材を交換する場合がある。このようなシリンダ錠とカム板の交換時、作業者がシリンダ錠とカム板を基枠体から取り外した状態で、誤ってそのゲーム機の前扉を閉じた場合、施錠装置の鉤部材が本体枠側の受け金具に係止され、施錠状態となる。
【０００５】
然るに、施錠装置を取り付けた前扉を一旦閉じて、シリンダ錠とカム板を外した施錠装置が施錠状態となった場合、シリンダ錠とカム板が基枠体から外されているため、鉤部材を解錠方向に傾動させることができず、ゲーム機の前扉の解錠が不可能となり、シリンダ錠とカム板の交換作業ができなくなるという問題があった。
【０００６】
本発明は、上記の点に鑑みてなされたもので、シリンダ錠の交換作業時等に、シリンダ錠を外した状態でも、簡単な工具を使用して、連結杆を動かし、鉤部材の係止を解除して、解錠することができるゲーム機の施錠装置を提供することを目的とする。
【課題を解決するための手段】
【０００７】
上記目的を達成するために、本発明のゲーム機の施錠装置は、取付板と支持板とを有する基枠体の内側に連結杆が摺動可能に配設され、支持板の上部と下部に鉤部材が傾動可能に枢支され、連結杆の上端と下端が上下の鉤部材に連結され、取付板の一部にシリンダ錠用の開口孔が穿設され、シリンダ錠が該開口孔からその錠軸を基枠体の内側に挿入して該取付板に交換可能に取り付けられ、該錠軸の先端にカム板が連結杆に係合可能に取り付けられたゲーム機の施錠装置において、該開口孔の近傍における該連結杆の該開口孔側に、リベット状の頭付係合ピンが、前記カム板の回動時、該カム板とは接触しない位置に、該頭付係合ピンの先端を該連結杆の側面に穿設した孔にかしめ固定して取り付けられ、該シリンダ錠を外した状態で、該開口孔を通して基枠体の内側に差し込まれた工具を該頭付係合ピンに係合させて、該連結杆を解錠方向に摺動可能としたことを特徴とする。
【発明の効果】
【０００９】
このような構成の施錠装置は、ゲーム機に取り付けられて使用されたとき、その基枠体からシリンダ錠とカム板を取り外し、シリンダ錠とカム板を交換する場合がある。このようなシリンダ錠とカム板の交換時、作業者がシリンダ錠とカム板を基枠体から取り外した状態で、誤ってそのゲーム機の前面枠（前扉）を閉じた場合、施錠装置の鉤部材が本体枠側の受け金具に係止され、施錠状態となってしまう。
【００１０】
このようなシリンダ錠のない状態で施錠状態となったとき、作業者は、シリンダ錠取付用に前面枠に形成した開口孔を通して、ねじ回しなどの工具を差し込み、工具の先端を施錠装置の基枠体の開口孔に挿入し、連結杆に突設された頭付係合ピンに、工具の先端を係合させる。この状態で、工具の先端を解錠方向（例えば上昇させる方向）に力を加え、連結杆を移動させる。これにより、鉤部材は解錠方向に傾動し、誤って施錠状態となった施錠装置を解錠状態に戻すことができる。ねじ回しなどの工具の先端を係合部に係合させる作業は、目視できない施錠装置の内部で行うことになるが、係合部として頭付係合ピンを使用すれば、頭付係合ピンは工具の先端を比較的容易に係合させることができるため、目視できない状態でも、工具の操作によって連結杆を解錠方向に移動させることができる。
【発明を実施するための最良の形態】
【００１１】
以下、本発明の実施の形態を図面に基づいて説明する。図１はゲーム機用施錠装置の右側面図を示し、図２はその背面図を、図５はその分解側面図を示している。この施錠装置は、金属板をプレス加工して略チャンネル材に形成された縦長の基枠体１を備え、基枠体１は略直角に曲折された取付板２と支持板３を有し、取付板２にはシリンダ錠１４の取付用の開口孔２ｂ、複数の固定孔などが穿設されている。
【００１２】
取付板２に対し略直角に曲折された支持板３の上部と下部近傍に幅広部が形成され、その部分に、フック状に形成された鉤部材５、６が枢軸７、８により回動可能に軸支されている。鉛直状態とした支持板３に対し、上下の鉤部材５，６は、各々略水平横方向に突出した状態で停止し、且つその状態から下側に回動（傾動）可能に、枢軸６、７によって枢支されている。さらに、基枠体１の支持板３の内側に沿って帯状の連結杆４が摺動可能に配設され、上下の鉤部材５、６の末端部に連結軸９、１０を介して連結杆４の上端と下端が連結され、連結杆４が上方に摺動することにより、鉤部材５、６は下側の解錠位置に傾動する。
【００１３】
一方、図５に示すように、鉤部材５，６を枢支した支持板３の幅広部には、鉤部材５，６の凹部に対応した背後位置に当接支持部３ａが設けられ、前面枠３１が本体枠３０に対し閉じられ、鉤部材５，６が本体枠側の受け金具３２，３３に係止した状態で、その当接支持部３ａが受け金具３２，３３に当接可能とされ、不正行為によって前面枠３１が上方に持ち上げられ、不正解錠される不具合を防止している。
【００１４】
取付板２の上部と中間部と下部寄りに、山形のガイド支持部２ａが連結杆４をガイドするように、取付板を内側に切り起して形成されている。連結杆４はそのガイド支持部２ａと支持板３間に配設され、ガイド支持部２ａと支持板３により上下摺動可能にガイドされる。また、図５のように、連結杆４の一部に長孔４ｂが穿設され、その長孔４ｂにガイドピン１２が挿通されて支持板３に固定され、連結杆４はガイドピン１２により長手方向に摺動可能にガイドされる。また、連結杆４の中間部には、後述のカム板１３の係合凸部１３ａに係合可能な係合部４ｃが形成されている。
【００１５】
さらに、図７に示すように、連結杆４の上部近傍には、シリンダ錠の解錠操作時に、鉤部材５，６を傾動状態に保持するために、傾動保持部材１６が取り付けられている。この連結杆４の上部には開口部４ａが形成され、その開口部４ａから係合部１６ｂを突出させる形態で、傾動保持部材１６が枢軸１６ｃにより揺動可能に且つ連結杆４を施錠状態で基枠体１に対し係止するように、連結杆４の一部に枢支されている。
【００１６】
傾動保持部材１６は略Ｃ字形に形成され、その先端に当接片１６ａが後述の本体枠側の当接部３４と当接可能に設けられ、その末端には係合部１６ｂが基枠体１の取付板２上に立設した係止部１１（図５，６）と係合可能に形成されている。この傾動保持部材１６には弱いばね力のコイルばね１７がその係合部１６ｂを係止部１１に係止させる方向に回動させるように、連結杆４との間に装着されている。つまり、シリンダ錠１４を解錠方向に回し、カム板１３を介して連結杆４を上方に移動させ、鉤部材５，６を解錠状態に傾動させたとき、コイルばね１７のばね力によって傾動保持部材１６を係止側に回動させ、その位置の連結杆４を基枠体に対しロックして鉤部材５，６の解錠姿勢を保持するように、傾動保持部材１６は連結杆４に取り付けられている。
【００１７】
さらに、取付板２の中間部には、シリンダ錠１４を取り付けるための幅広部が形成され、その幅広部に円形の開口孔２ｂ（図６）が穿設される。その開口孔２ｂにシリンダ錠１４が背面側から挿入され、そのフランジ部１４ｂを取付板２の内側にねじ止めして、シリンダ錠１４がその錠軸１４ａを基枠体１の内側に挿入した状態で、取付板２上に取り付けられる。錠軸１４ａ先端にはカム板１３が固定される。
【００１８】
さらに、図５，６に示すように、支持板３と連結杆４との間に、スイッチ作動杆１５が摺動可能に配設される。また、このスイッチ作動杆１５は、シリンダ錠１４によりその錠軸１４ａに固定されたカム板１３を左に回したとき、その係合凸部１３ｂに係合して下側に摺動し、作動スイッチ２１をオンオフ操作するように構成される。作動スイッチ２１は図２に示すように、取付板２の一部左側に延設した箇所に取り付けられる。連結杆４とスイッチ作動杆１５の間にコイルばね１９が掛けられ、このコイルばね１９のばね力によって連結杆４は下側に付勢され、スイッチ作動杆１５は上側に付勢されている。
【００１９】
シリンダ錠１４は長尺のシリンダ部を有すると共に、基部にフランジ部１４ｂを設けて形成され、その錠軸１４ａの先端が基枠体１の内側に突出しそこにカム板１３が固定される。図４等に示すように、カム板１３には係合凸部１３ａと１３ｂが設けられ、連結杆４の対応箇所には、係合凸部１３ａと係合可能な係合部４ｃが設けられ、スイッチ作動杆１５にも係合凸部１３ｂと係合可能な係合凹部が設けられる。カム板１３の係合凸部１３ａはシリンダ錠１４のキーを右に回した時、連結杆４と係合して連結杆４を上方に移動させ、カム板１３の係合凸部１３ｂはキーを左に回した時、スイッチ作動杆１５と係合してこれを下方に摺動させる。
【００２０】
連結杆４におけるカム板１３近傍（係合部４ｃの少し背面側）に、シリンダ錠１４とカム板１３の交換時の緊急時に使用される、頭付係合ピン２２が、図４、１０のように、連結杆４のカム板側（開口孔２ｂ側）の面に突設されている。この頭付係合ピン２２は、上記工具用の係合部となるもので、シリンダ錠１４とカム板１３の交換時に、シリンダ錠１４とカム板１３を外した状態で、誤って前扉を閉じて施錠装置が施錠状態になったとき、緊急手段として、ねじ回しなどの工具で解錠操作ができるようにしたものである。このリベット状の頭付係合ピン２２は、連結杆４のカム板側の側面に、開口孔２ｂ側に向けて突設され、ねじ回しなどの工具の先端部を係合可能としている。
【００２１】
また、頭付係合ピン２２は、シリンダ錠１４によるカム板１３の回動時に、カム板１３とは接触しない位置に配置するように、係合部４ｃの背面側に偏倚して突設している。さらに、頭付係合ピン２２は、連結杆４の移動時に他の部材と接触しない位置に突設している。
【００２２】
なお、図４に示すように、頭付係合ピン２２の真下の連結杆４における内側面には、施錠状態においてカム板１３の係合凸部１３ａに当接して連結杆４の解錠側への移動を阻止する移動ストッパ２３が固定される。この移動ストッパ２３は、施錠状態の連結杆４が不正工具により上側に動かされた際、カム板１３の係合凸部１３ａに当たって連結杆４の解錠方向への移動を阻止する。また、この移動ストッパ２３は、その中間部に設けたねじ孔に固定ねじをねじ込んで、既存の連結杆４であっても、外付け部材として移動ストッパ２３を取り付け、不正解錠ができないようにすることができる。
【００２３】
図４のように、スイッチ作動杆１５の下端部に対向した位置に、非接触式の作動スイッチ２１が取付板２上に取り付けられ、シリンダ錠１４を左に回し、スイッチ作動杆１５が下に移動したとき、その端部を検知してリセット信号などの信号を出力する。支持板３の下部の幅広部には、合成樹脂製のローラ１８が回転自在に軸支される。このローラ１８は、前面枠の閉鎖時に本体枠側のローラ受け３５上を転動して前面枠を支持するように設けられる。
【００２４】
このように構成された施錠装置は、図８に示すように、ゲーム機例えばスロットマシンの前面枠３１（前扉）の内側に基枠体１の取付板２を縦に固定して装着され、ゲーム機の本体枠（キャビネット）３０側の対応位置に、受け金具３２、３３が鉤部材５，６に係止可能に取り付けられる。さらに、傾動保持部材１６に対応した位置には、当接部３４が設けられ、受け金具３３の下側にローラ受け３５が設けられる。
【００２５】
前面枠３１を本体枠３０に対し閉じる際には、図９のように、先ず、キーによりシリンダ錠１４の錠軸を回して、上下の鉤部材５、６を傾動状態とする。所定のキーをシリンダ錠１４に挿入し、それを右に回すと、錠軸１４ａ、カム板１３が同方向に回動し、カム板１３の係合凸部１３ａとの係合により連結杆４がコイルばね１９の付勢力に抗して上方に移動し、これにより、上下の鉤部材５、６が下側に傾動した状態となる。
【００２６】
このとき、連結杆４と共に傾動保持部材１６が上に移動するが、コイルばね１７の弱いばね力によって傾動保持部材１６は図１の時計方向に付勢されており、鉤部材５，６の傾動時には、同方向に僅かに回動して、傾動保持部材１６の下端の係合部１６ｂが基枠体１側の係止部１１に係合し、これによって、連結杆４は、図９のように上下の鉤部材５、６を傾動させた状態でロックされ静止する。
【００２７】
この状態で、前面枠３１を本体枠３０に対し閉じると、傾動保持部材１６の先端の当接片１６ａが本体枠側の当接部３４に当たり、傾動保持部材１６が図９の反時計方向に僅かに回動する。これにより、傾動保持部材１６の係合部１６ｂと基枠体側の係止部１１との係合が外れ、連結杆４はコイルばね１９の付勢力により下側に移動する。これに伴い、上下の鉤部材５，６は、施錠側に回動して、図８に示すように受け金具３２、３３に係止され、施錠状態となる。
【００２８】
一方、前面枠３１を開くために、所定のキーをシリンダ錠１４に挿入し、それを右に回すと、錠軸、カム板１３が同方向に回動し、カム板１３の係合凸部１３ａとの係合により連結杆４がコイルばね１９の付勢力に抗して上方に移動し、これにより、上下の鉤部材５、６が下側に傾動して、本体枠３０側の受け金具３２、３３との係合を外し、解錠状態となる。
【００２９】
解錠状態となると、図９のように、前面枠３１が開放されるため、傾動保持部材１６の先端の当接片１６ａを押していた本体枠側の当接部３４が離れる。これにより、傾動保持部材１６は図９の時計方向に僅かに回動し、傾動保持部材１６の係合部１６ｂが基枠体側の係止部１１に係合して、連結杆４がその上方位置で係止され、図９のように、上下の鉤部材５，６は傾動姿勢を保持され、解錠状態が保持される。
【００３０】
そして、前面枠３１を閉じて再び施錠する場合、連結杆４は、上記のように上下の鉤部材５、６を傾動させた状態で、傾動保持部材１６の作動によりロックされ静止しているから、前面枠３１をそのまま閉じれば、上述の如く、傾動保持部材１６の先端の当接片１６ａが本体枠側の当接部３４に当たり、傾動保持部材１６が回動して、傾動保持部材１６の係合部１６ｂと基枠体側の係止部１１との係合が外れる。したがって、連結杆４はコイルばね１９の付勢力により下側に移動して、上下の鉤部材５，６が施錠側に回動して、図８のように受け金具３２、３３に係止され、施錠状態となる。
【００３１】
一方、遊技場において、各種の目的のために、基枠体１からシリンダ錠１４とカム板１３を取り外し、それらの部材を交換する場合、前面枠３１を開放して、先ず、基枠体１の取付板２からシリンダ錠１４をカム板１３と共に取り外す。このシリンダ錠１４とカム板１３を基枠体１から取り外した状態で、誤ってそのゲーム機の前面枠３１を閉じた場合、施錠装置の鉤部材５，６が本体枠３０側の受け金具３２，３３に係止され、施錠状態となってしまう。このような場合、シリンダ錠１４が取り外されており、また、解錠動作する連結杆４は施錠装置の基枠体１の内側に隠れているために、目視できないこともあって、通常は、簡単に解錠することは難しい。
【００３２】
しかし、この施錠装置の連結杆４におけるカム板１３の近傍側、つまり連結杆４のカム板１３側（開口孔２ｂ側）の近傍に、頭付係合ピン２２が突設されているため、図１０に示すように、シリンダ錠取付用に前面枠３１に形成した孔から基枠体１の開口孔２ｂを通して、ねじ回しなどの工具を基枠体１の内側に差し込む。そして、工具の先端を、連結杆４に突設された頭付係合ピン２２に、係合させる。この状態で、工具の先端を上昇させるように力を加え、工具を使って連結杆４を持ち上げる。
【００３３】
これにより、連結杆４の上部と下部に連結された鉤部材５，６は、解錠方向に傾動して、受け金具３２，３３との係合が外れ、誤って施錠状態となった施錠装置を解錠状態に戻し、前面枠３１を開くことができる。また、このときの、ねじ回しなどの工具の先端を係合させる作業は、目視できない施錠装置の内部で行うことになるが、頭付係合ピン２２は工具の先端を比較的容易に係合させることができるため、目視できない状態でも、工具の操作によって連結杆４を解錠方向に移動させることができる。
【００３４】
なお、上記実施形態では、リベット状の頭付係合ピン２２を連結杆４の側面に固定したが、連結杆４におけるカム板１３の近傍位置の一部を切り起して係合部を側面に突設することもできる。この場合も上記と同様に、カム板１３とは接触しない位置に突設する必要がある。
【図面の簡単な説明】
【００３５】
【図１】本発明の一実施形態を示す施錠装置の右側面図である。
【図２】同施錠装置の背面図である。
【図３】同装置のシリンダ錠近傍の部分拡大右側面図である。
【図４】同装置のシリンダ錠近傍の部分拡大背面図である。
【図５】同装置の分解右側面図である。
【図６】同装置の分解背面図である。
【図７】連結杆と傾動保持部材の拡大右側面図である。
【図８】使用状態を示す施錠状態右側面図である。
【図９】使用状態を示す解錠状態右側面図である。
【図１０】シリンダ錠のない状態で、工具を使用して解錠する際の部分斜視図である。
【符号の説明】
【００３６】
１      基枠体
２      取付板
２ｂ    開口孔
３      支持板
４      連結杆
４ｃ    係合部
５      鉤部材
６      枢軸
７      枢軸
１１    係止部
１３    カム板
１４    シリンダ錠
１４ａ  錠軸
１４ｂ  フランジ部
２２    頭付係合ピン                                                                       
【図１】
0005038051.tif 000002
【図２】
0005038051.tif 000003
【図３】
0005038051.tif 000004
【図４】
0005038051.tif 000005
【図５】
0005038051.tif 000006
【図６】
0005038051.tif 000007
【図７】
0005038051.tif 000008
【図８】
0005038051.tif 000009
【図９】
0005038051.tif 000010
【図１０】
0005038051.tif 000011